(57)【特許請求の範囲】
【請求項１】
２軸延伸ブロー成形品である壜本体(1)の胴部の後部に形成された凹部(2)に、２軸延伸ブロー成形時にインサート材として組付け固定される合成樹脂製の把手体であって、
縦長板状の把持部(4) の上端部と下端部に、それぞれ先端に前記壜本体(1)の周壁(1p)とアンダーカット状の組付き固定部を形成する係止部位を付設した上部組付アーム(6) と下部組付アーム(8) を前方へ連設し、
前記下部組付アーム(8) の先端に下端から上端にかけて斜め上前方に傾斜した板片状の係止爪片(10)を付設することにより、該下部組付アーム(8)に係る前記係止部位を形成し、
前記係止爪片(10)の前面の左右中央部に、所定の高さ範囲に亘り縦凸リブ(13)を付設すると共に該縦凸リブ(13)を横断する横溝(14)を形成し、該横溝(14)により前記係止爪片(10)の前面に横方向に延長する段部を形成する構成とした合成樹脂製把手体。
【請求項２】
２軸延伸ブロー成形品である壜本体(1)の胴部の後部に形成された凹部(2)に、２軸延伸ブロー成形時にインサート材として組付け固定される合成樹脂製の把手体であって、
縦長板状の把持部(4) の上端部と下端部に、それぞれ先端に前記壜本体(1)の周壁(1p)とアンダーカット状の組付き固定部を形成する係止部位を付設した上部組付アーム(6) と下部組付アーム(8) を前方へ連設し、
前記下部組付アーム(8) の先端に下端から上端にかけて斜め上前方に傾斜した板片状の係止爪片(10)を付設することにより、該下部組付アーム(8)に係る前記係止部位を形成し、
前記係止爪片(10)の前面上端部に横凸リブ(12)を付設し、該横凸リブ(12)により前記係止爪片(10)の前面に横方向に延長する段部を形成し、
また、前記係止爪片(10)の前面の左右中央部に、前記横凸リブ(12)の下方から下端部にかけての高さ範囲に亘り縦凸リブ(13)を付設すると共に該縦凸リブ(13)を横断する横溝(14)を形成し、該横溝(14)により前記係止爪片(10)の前面に横方向に延長するもう一つの段部を形成する構成とした合成樹脂製把手体。
【請求項３】
縦凸リブ(13)を、該縦凸リブ(13)の前面が垂直面となるように付設した請求項１または２記載の合成樹脂製把手体。
【請求項４】
係止爪片(10)の上端部を下部組付アーム(8) の先端面(9)の外周縁上端から突出する構成とした請求項１、２または３記載の合成樹脂製把手体。
【請求項５】
係止爪片(10)の、周壁(1p)と接する各角部を丸く角取りして滑らかに形成した請求項１、２、３または４記載の合成樹脂製把手体。

【発明の詳細な説明】
【技術分野】
【０００１】
本発明は、壜本体の胴部の後部に組付き固定されて使用される合成樹脂製の把手体に関するものである。
【背景技術】
【０００２】
ペットボトル等の大型の合成樹脂製壜体では、良好な掴持性を得るために胴部の後方に合成樹脂製の把手体を組付き固定して使用する場合がある。
例えば特許文献１には、このような把手付き壜体の代表的な例として、縦長板状の把持部の上下端部にそれぞれ組付アームを前方へ連設し、かつそれぞれの組付アームの先端部に係止突片を突設した射出成形による把手体をインサート材として壜本体を２軸延伸ブロー成形することにより、把手体を壜本体にアンダーカット状に強固に組付けてなる把手付き壜体が記載されている。
【０００３】
また、近年、回収後に、分別することなくリサイクル処理できることから、壜本体と把手体とを同じ合成樹脂材料、例えばポリエチレンテレフタレート（以下、ＰＥＴと略称する）樹脂を使用して把手付き壜体を成形することが行なわれている。
【特許文献１】特開２０００−４３８８７号公報
【発明の開示】
【発明が解決しようとする課題】
【０００４】
しかし、上記のようにＰＥＴ製の把手をインサート材として、ＰＥＴ製の壜本体を２軸延伸ブロー成形すると、同じ樹脂同士で溶着し易く、滑りが悪いので、両者の接触部分、特に、把手体の下部組付アームの先端に突出している係止突片と接触しながら延伸する壜本体の周壁部分に、穴があいてしまう等の成形不良が発生し易いと云う問題がある。
また一方で、このような成形不良の問題を緩和するために係止突片の突出高さを低くする等の対策をすると、把手体の組付き強度が十分でなくなり、衝撃力が作用した際等に係止突片が脱係止して把手体が外れてしまう等の問題が生じる場合がある。
【０００５】
そこで本発明は、２軸延伸ブロー壜体にインサート材として組付き固定される合成樹脂製把手体において、組付き強度と成形性を高いバランスで実現できる下部組付アームの先端構造を創出することを技術的な課題とし、もって高い生産性で、十分な組付き強度を有する把手付き壜体を提供することを目的とする。
【課題を解決するための手段】
【０００６】
上記技術的課題を解決する手段における本発明に係る基本的な構成は、
２軸延伸ブロー成形品である壜本体の胴部の後部に形成された凹部に、２軸延伸ブロー成形時にインサート材として組付け固定される合成樹脂製の把手体であって、
縦長板状の把持部の上端部と下端部に、それぞれ先端に壜本体の周壁とアンダーカット状の組付き固定部を形成する係止部位を付設した上部組付アームと下部組付アームを前方へ連設し、
下部組付アームの先端に下端から上端にかけて斜め上前方に傾斜した板片状の係止爪片を付設することにより、下部組付アームに係る係止部位を形成し、
この係止爪片の正面に横方向に延長する段部を形成する、と云うものである。
【０００７】
上記構成中あるいは以降の説明において、把手体に係る前後方向等の向きに係る記載は、壜本体の胴部の後部に組付き固定した姿勢を基準として決めたものであり、前後方向では壜本体の後部周壁に対向する側を前側(前面（正面））、その反対側を後側（後面（背面））と定義する。
内容液を充填した壜体を落下した時等の荷重の集中様式や、把手体が組付き固定する凹部の周壁の湾曲形状や、上部組付アームに比較して下部組付アーム近傍での周壁の延伸の程度が大きいと云うような要因により、下部組付アームに付設され、係止部位としての機能を担う係止爪片の構造は、把手体の組付き強度を決める上で重要な構成要素となる。
【０００８】
一方で、下部組付アーム先端部近傍の周壁と係止爪片のアンダーカット状の組付きを強固にするために、この係止爪片の下部組付アームの先端面の外周縁からの突出高さを高くすると、壜本体の２軸延伸ブロー成形の際、延伸変形する周壁がこの突出部分に引っ掛かって穴があいてしまう等の成形不良が発生する。
そこで、本発明の上記構成により係止爪片を下端から上端にかけて斜め上前方に傾斜する板片状とすることにより、係止爪片に衝突する周壁の衝突角度を緩やかにして、この延伸変形する周壁を係止爪片の外周形状に沿ってスムーズに賦形させることができ、上記した係止爪片の突出部分に起因する成形不良が発生を防止することが可能となる。
【０００９】
そして、さらに上記構成により係止爪片の前面に横方向に延長する段部を形成することにより、インサート成形時にこの段部に沿って周壁が賦形されるので、この段部で、係止爪片と周壁の間に、特に上下方向の変位に係る係止機能が作用する。
【００１０】
しかも、この段部は係止爪片の正面に付設されるものであるので、延伸変形する周壁がこれら部位に正面衝突状に当接するので、段部の形成により成形性を損なうことがなく、係止爪片を傾斜した板片状とすることによる成形性の向上と相俟って、把手体の組付き強度と成形性のバランスをより高いレベルで実現できる。
【００１３】
そして、本発明の主たる構成は上記の基本的な構成において、係止爪片の前面の左右中央部に、所定の高さ範囲に亘り縦凸リブを付設すると共にこの縦凸リブを横断する横溝を形成し、この横溝により段部を形成する、と云うものである。
【００１４】
上記構成は、係止爪片の前面に横方向に延長する段部を形成するための一実施態様であり、横溝による段部により上下方向の変位に係る係止機能が発揮されると共に、縦凸リブにより横方向の変位に係る係止機能が発揮され、把手体の組付き強度をより効果的に高めることが可能となる。
【００１５】
本発明の他の主たる構成は、上記の基本的な構成に加えて、係止爪片の前面上端部に横凸リブを付設し、この横凸リブにより段部を形成し、
係止爪片の前面の左右中央部に、横凸リブの下方から下端部にかけての高さ範囲に亘り縦凸リブを付設すると共にこの縦凸リブを横断する横溝を形成し、この横溝によりもう一つの段部を形成する、と云うものである。
【００１６】
上記構成も、係止爪片の前面に横方向に延長する段部を形成するための一実施態様であり、横凸リブと横溝による２ケの段部により上下方向の変位に係る係止機能が発揮されると共に、縦凸リブにより横方向の変位に係る係止機能が発揮され、把手体の組付き強度をより効果的に高めることが可能となる。
【００１７】
本発明のさらに他の構成は、縦凸リブを、前面が垂直面となるように付設すると、云うものである。
【００１８】
上記構成により、延伸変形する周壁が縦凸リブの前面に、より正面衝突状に当接するので、周壁を縦凸リブや横溝の形状に沿ってよりスムーズに賦形することが可能となる。
【００１９】
本発明のさらに他の構成は、係止爪片の上端部を下部組付アームの先端面の外周縁上端から突出する、と云うものである。
【００２０】
下部組付アームの先端面の外周縁から係止爪片の上端部や下端部や側端部を突出させることにより、アンダーカット状の組付きを得ることができるが、どの方向にどの程度の突出高とするかは、壜本体の形状、衝撃荷重の分散様式、そして成形性とのバランスを考慮して適宜選択する。
上記のように係止爪片の上端部を下部組付アームの先端面の外周縁上端から突出する構成とすることにより、この突出部分は斜め上前方に傾斜することになり、延伸変形する周壁が、この突出部分の頂部を乗り越え、さらに背面に沿ってスムーズに賦形され、成形性を損なうことなく強固なアンダーカット状の組付きを得ることが可能となる。
【００２１】
本発明のさらに他の構成は、係止爪片の周壁と接する各角部を丸く角取りして滑らかに形成する、と云うものである。
【００２２】
上記構成により、係止爪片と、これに接触しながら延伸変形する壜本体の周壁との滑り抵抗を小さくすることができ、周壁の穴あき等の成形不良をより効果的に防止することができる。
【発明の効果】
【００２３】
本発明は、上記した構成となっているので、以下に示す効果を奏する。
本発明に係る基本的な構成にあっては、係止爪片を下端から上端にかけて斜め上前方に傾斜した板片状とすることにより、延伸変形して係止爪片に衝突する周壁の衝突角度を緩やかにし、周壁を係止爪片の外周形状に沿ってスムーズに賦形させることができ、係止爪片の突出部分に起因する成形不良を防止することができる。
【００２４】
また、係止爪片の前面に横方向に延長する段部を形成することにより、この段部で、成形性損なうことなく上下方向の変位に係る係止機能が発揮され、係止爪片を傾斜した板片状とすることによる成形性の向上と相俟って、把手体の組付き強度と成形性のバランスをより高いレベルで実現できる。
【００２６】
係止爪片に縦凸リブを付設するものにあっては、横溝による段部により上下方向の変位に係る係止機能が発揮されると共に、縦凸リブにより横方向の変位に係る係止機能が発揮され、把手の組付き強度をより効果的に高めることができる。
【００２７】
係止爪片に、横凸リブと縦凸リブを付設するものにあっては、凸リブと横溝による２ケの段部により上下方向の変位に係る係止機能が発揮されると共に、縦凸リブにより横方向の変位に係る係止機能が発揮され、把手の組付き強度をより効果的に高めることができる。
【００２８】
前面が垂直面となるように縦凸リブを付設するものにあっては、延伸変形する周壁が縦凸リブの前面に、より正面衝突状に当接するので、周壁を縦凸リブや横溝の形状に沿ってよりスムーズに賦形することができる。
【００２９】
係止爪片の上端部が下部組付アームの先端面の外周縁上端から突出するものにあっては、突出部分が斜め上前方に傾斜しており、この突出部分の背面に沿って、周壁がスムーズに賦形され、成形性を損なうことなく強固なアンダーカット状の組付きを得ることができる。
【００３０】
係止爪片の周壁と接する各角部を丸く角取りして滑らかに形成するものにあっては、係止爪片と、これに接触しながら延伸変形する周壁との滑り抵抗を小さくすることができ、周壁の穴あき等の成形不良をより効果的に防止することができる。
【発明を実施するための最良の形態】
【００３１】
以下、本発明の実施の形態を実施例に沿って図面を参照しながら説明する。
図１は本発明の合成樹脂製把手体の一実施例を壜本体１の後部に形成された凹部２に組付け固定した状態を示す側面図であり、図２はこの把手体３の正面図、図３は側面図、図５は背面図である。
また図４（ａ）は図３の下部組付アーム近傍を拡大した側面図、図４（ｂ）は係止爪片１０の正面図である。
【００３２】
図１の壜本体１は容量が１．８Ｌ用のもので、ＰＥＴ樹脂製の２軸延伸ブロー成形品であり、壜本体１の胴部の後部に形成された凹部２に、同じくＰＥＴ樹脂製の射出成形品である把手体３が、インサート材として組付き固定している。
【００３３】
把手体３は、縦長板状の把持部４の上端部および下端部から、上部組付アーム６および下部組付アーム８をそれぞれ前方へ連設して構成されており、把持部４は、前後に位置する前側板片４ｆと後側板片４ｂを中央リブ５で連結するようにした断面Ｈ型構造状である。（図３中に付加した、Ａ−Ａ線に沿った平断面図参照）
また、上部組付アーム６及び下部組付アーム８の基端部から先端部にかけての部分も同様に断面Ｈ型構造としている。（図３中に付加した、Ｂ−Ｂ線に沿った平断面図参照）
【００３４】
次に、本実施例の把手体３のインサート成形時に、壜本体１の周壁にアンダーカット状の組付き固定部を形成する係止部位について説明する。
上部組付アーム６の先端には、この上部組付アーム６の上面を基端として係止突片７を真直ぐ上方へ起立設し、この係止突片７が上部組付アーム６に係る係止部位としての機能を発揮する。
【００３５】
一方、下部組付アーム８は、上方へ彎曲しながら形成されているが、先端に下端から上端にかけて斜め上前方に傾斜した板片状の係止爪片１０を付設し、この係止爪片１０が下部組付アーム８に係る係止部位としての機能を発揮する。
なお、本実施例では係止爪片１０の真直ぐ上方向からの傾斜角度ＴＨ（図４（ａ）参照）を２２°としている。
【００３６】
次に、係止爪片１０の細部の構造について説明する。
内容液を充填した壜体を落下した際における荷重の集中様式や、把手体１が組付き固定する凹部２の周壁１ｐの湾曲形状や、上部組付アーム６に比較して下部組付アーム８近傍での周壁１ｐの延伸の程度が大きいこと等を考慮すると、上部組付アーム６に係る係止部位に比較して、下部組付アーム８に係る係止部位である係止爪片１０の構造は、把手体３の組付き強度を決める上でより重要な要素となる。
図４（ａ）、（ｂ）に示されるように本実施例の係止爪片１０は、下部組付アーム８の先端面９の上端縁、側端縁、下端縁からそれぞれ突出しており、この突出部分をそれぞれ上端突片１５、側部突片１６、そして下端突片１７とする。
【００３７】
また、係止爪片１０の傾斜した前面には、上端に横凸リブ１２が付設されており、左右中央部には横凸リブ１２の下方から下端部にかけての高さ範囲に亘り縦凸リブ１３が付設され、さらにこの縦凸リブ１３を横断する横溝１４が形成されている。そして、上記、横凸リブ１２と横溝１４により横方向に延長する２ケの段部１１ａ、１１ｂが形成される。
なお、係止爪片１０の傾斜した前面に付設される上記縦凸リブ１３はその前面が垂直面であり、従ってその側面の形状は図４（ａ）に示されるように直角三角形状となっている。
【００３８】
上記のような係止爪片１０の構造により、インサート成形時には突出部分である上端突片１５、側部突片１６、下端突片１７が壜本体１の周壁１ｐにアンダーカット状に組付いて、上下、前後、左右方向の力の作用に対して下部組付アーム８が周壁１ｐから抜け出るのを防ぐ機能を発揮している。
【００３９】
上記各突片の突出高さが大きければ、その分アンダーカット状の結合を深くして把手体３の組付き強度を高くすることができるが、一方で、２軸延伸ブロー成形時に周壁が破れる等の成形不良が発生し易く、これらのバランスを考慮して、各部分での突出高さを決める必要がある。
本実施例では上端突片１５の突出高さを比較的大きくし、下端突片１７の突出高さを小さくしているが、これも組付き強度と成形性のバランスを取るための方策の一つである。
【００４０】
また、係止爪片１０の付設方向についても、本実施例のように傾斜させることにより２軸延伸ブロー成形時、延伸変形しながら係止爪片１０に衝突する周壁１ｐの衝突角度を緩やかにして、係止爪片１０の外周形状に沿ってスムーズに賦形させることができる。また、突出高さの高い上端突片１５の頂部を乗り越えてその背面へもスムーズに賦形される。（図４（ａ）中、２点差線で示した周壁１ｐ参照）
ただ一方で、傾斜角度ＴＨを大きくしすぎると傾斜した上端突片１５による係止効果は小さくなるので、上端突片１５のアンダーカット状の係止機能にもかかわらず、大きな衝撃荷重が作用した場合には周壁１ｐが大きく変形し、下部組付アーム８が周壁１ｐから抜け出る場合もあり、この傾斜角度ＴＨは周壁１ｐの形状や、組付き強度と成形性のバランスを考慮して設計する。
【００４１】
ここで、上記のように組付き強度と成形性のバランスを考慮して係止爪片１０の構造を設計するなかで、本実施例の前面に付設、形成した横凸リブ１２、縦凸リブ１３、横溝１４は、その係止機能により組付き強度を向上させる機能を担うものである。
すなわち、インサート成形により周壁１ｐはこれら横凸リブ１２、縦凸リブ１３、横溝１４の形状に沿って賦形されるので、横凸リブ１２と横溝１４による２ケの横方向に延長する段部１１ａ、１１ｂにより上下方向の変位に係る係止機能が発揮され、縦凸リブ１３により横方向の変位に係る係止機能が発揮され、上端突片１５、側部突片１６と下端突片１７によるアンダーカット状の係止機能と相俟って、把手体１の組付き強度をより効果的に高めることができる。
【００４２】
しかも、これら横凸リブ１２等の付設部位が係止爪片１０の正面に付設されるものであるので、延伸変形する周壁１ｐがこれら部位に正面から当接するようにして賦形されるので、これら部位の付設により成形性を損なうことがない。
【００４３】
そしてこのように、横凸リブ１２等の係止爪片１０の正面に付設、形成した部位により成形性を損なうことなく組付き強度を高めることができるので、その分、係止爪片１０の傾斜角度を大きくしたり、上端突片１５等の突片の突出高さを低めにして成形性を向上させることもでき、組付き強度と成形性のバランスをより高いレベルで実現できるようになった。
【００４４】
なお、図４（ａ）、（ｂ）に示すように、本実施例では係止爪片１０の各角部を丸く角取りして滑らかに形成しており、このようにすることによって係止爪片１０と、これに接触しながら延伸変形する周壁１ｐとの滑り抵抗を小さくすることができ、周壁１ｐの穴あき等の成形不良をより効果的に防止することができる。
【００４５】
以上、実施例に沿って本発明の実施の形態を説明したが、勿論本発明はこの実施例に限定されるものではない。
たとえば、上部組付アーム６係る係止部位は、近傍の周壁の形状等を考慮して本実施例の係止突片７の他にもさまざま形態のものを採用することができる。
また、係止爪片１０における上端突片１５等の突片の形状やその突出高さについても近傍の周壁の形状や、作用する荷重等を考慮してさまざまな形態に適宜設計することができる。
また、係止爪片１０の前面に付設する部位についても、作用する荷重を考慮して横溝１４を形成した縦凸リブ１３だけとすることもできる。また、横凸リブ１２を複数本付設することもできる。
また勿論のことではあるが、壜本体の容量も１．８Ｌに限定されるものではない。
【産業上の利用可能性】
【００４６】
以上説明したように本発明の合成樹脂製把手体は、組付き強度と成形性を高いバランスで実現するものであり、２軸延伸ブロー成形による大型の把手付き壜体としての幅広い使用展開が期待される。
【図面の簡単な説明】
【００４７】
【図１】本発明の把手体の一実施例を壜本体の後部に組付け固定した状態を示す側面図である。
【図２】図１に示した把手体の正面図である。
【図３】図１に示した把手体の側面図である。
【図４】（ａ）は図３の下部組付アーム近傍を拡大した側面図、（ｂ）は下部組付アームの先端部の正面図である。
【図５】図１に示した把手体の背面図である。
【符号の説明】
【００４８】
１  ；壜本体
１ｐ；周壁
２  ；凹部
３  ；把手体
４  ；把持部
４ｆ；前側板片
４ｂ；後側板片
５  ；中央リブ
６  ；上部組付アーム
７  ；係止突片
８  ；下部組付アーム
９  ；先端面
１０；係止爪片
１１ａ、１１ｂ；段部
１２；横凸リブ
１３；縦凸リブ
１４；横溝
１５；上端突片
１６；側部突片
１７；下端突片
ＴＨ；傾斜角度
【図１】
0005041227.tif 000002
【図２】
0005041227.tif 000003
【図３】
0005041227.tif 000004
【図４】
0005041227.tif 000005
【図５】
0005041227.tif 000006